(57)【特許請求の範囲】
【請求項１】
打設直後のコンクリートＣの上空からクレーンなどで吊下して、当該打設コンクリートの締固めおよび表面を平坦ならしめることができるコンクリート締固め機であって、
クレーンフックなどに吊支される掛止部材11が上部に配設される本体部１と；この本体部１に搭載された振動モーター２と；前記本体部１の底面から突出して未硬化の打設コンクリートＣに刺入可能である一方、上昇して同本体部１の格納ポケット12に格納可能である昇降自在なバイブレーションシャフト３と；前記本体部１に搭載され、このバイブレーションシャフト３を電動昇降可能なウインチ４と；前記本体部１の底部に略水平に懸着される仕上げ板５と；前記ウインチ４の動止を遠隔操作可能なリモートコントローラー６とを具備して構成したことを特徴とする吊下式コンクリート締固め機。
【請求項２】
本体部１と仕上げ板５との間に弾性緩衝部材51が介装されており、振動モーター２による振動を緩衝できるように構成したことを特徴とする請求項１記載の吊下式コンクリート締固め機。
【請求項３】
振動モーター２の振動強弱が調節可能であることを特徴とする請求項１または２記載の吊下式コンクリート締固め機。
【請求項４】
打設直後のコンクリートＣの上空からクレーンなどで本体部１を吊下して、振動モーター２を作動すると共に、前記本体部１の底面から突出したバイブレーションシャフト３をコンクリートＣに刺入せしめて内部気泡を脱気し、
リモートコントローラー６によってウインチ４を作動してバイブレーションシャフト３を上昇せしめて格納ボックス12に格納することによって、前記バイブレーションシャフト３をコンクリートＣから抜き取った後、
本体部１の底部に略水平に懸着された仕上げ板５をコンクリートＣの表面に振接させることによって表面を平坦ならしめることを特徴とする吊下式コンクリート締固め機を用いたコンクリート締固め方法。
【発明の詳細な説明】
【０００１】
【発明の属する技術分野】
本発明は、砂防堰堤などの大規模コンクリート構造物を製作する際に使用する建設機械の改良、更に詳しくは、遠隔操作によって安全かつ迅速に無人作業することができる吊下式コンクリート締固め機、およびそれを用いたコンクリート締固め方法に関するものである。
【０００２】
【従来の技術】
土木工事において、砂防堰堤は山間の急峻な傾斜地に構築されることが殆どであるため、建設に従事する作業員は、常に落石や土砂崩れなどの危険に曝されるおそれがあった。
【０００３】
そこで、本願出願人は、かつて、効率的な作業を実現するために、防砂堰堤などに施工するコンクリート構造物の構築方法を発明したのであるが（例えば、特許文献１参照。）、砂防堰堤は巨大なコンクリート構造物であるために、作製するにあっては、コンクリートを広範囲に打設せねばならず、大型機械を使用することもあるので、安全性および作業効率性、コスト性などの観点から、作業の無人化および現場施工の迅速化が要請されていた。
【０００４】
【特許文献１】
特開２００１−１３１９４４号公報  （第３−４頁、第２−７図）
【０００５】
【発明が解決しようとする課題】
本発明は、従来の土木工事の建設現場において上記のような問題点があったことに鑑みて為されたものであり、その目的とするところは、遠隔操作によって安全かつ迅速に無人作業することができる吊下式コンクリート締固め機を提供することにある。
【０００６】
更にまた、本発明の他の技術的課題は、遠隔操作によって安全かつ迅速に無人作業することができるコンクリート締固め方法を提供することにある。
【０００７】
【課題を解決するための手段】
本発明者が上記課題を解決するために採用した手段を添付図面を参照して説明すれば次のとおりである。
【０００８】
即ち、本発明は、打設直後のコンクリートＣの上空からクレーンなどで吊下して、当該打設コンクリートの締固めおよび表面を平坦ならしめることができるコンクリート締固め機であって、
クレーンフックなどに吊支される掛止部材11が上部に配設される本体部１と；この本体部１に搭載された振動モーター２と；前記本体部１の底面から突出して未硬化の打設コンクリートＣに刺入可能である一方、上昇して同本体部１の格納ポケット12に格納可能である昇降自在なバイブレーションシャフト３と；前記本体部１に搭載され、このバイブレーションシャフト３を電動昇降可能なウインチ４と；前記本体部１の底部に略水平に懸着される仕上げ板５と；前記ウインチ４の動止を遠隔操作可能なリモートコントローラー６とを具備して構成するという技術的手段を採用することによって、吊下式コンクリート締固め機を完成させた。
【０００９】
また、本発明は、上記課題を解決するために、必要に応じて上記手段に加え、本体部１と仕上げ板５との間に弾性緩衝部材51を介装し、振動モーター２による振動を緩衝できるように構成するという技術的手段を採用した。
【００１０】
更にまた、本発明は、上記課題を解決するために、必要に応じて上記手段に加え、振動モーター２の振動強弱を調節可能にするという技術的手段を採用した。
【００１１】
また、本発明は、打設直後のコンクリートＣの上空からクレーンなどで本体部１を吊下して、振動モーター２を作動すると共に、前記本体部１の底面から突出したバイブレーションシャフト３をコンクリートＣに刺入せしめて内部気泡を脱気し、
リモートコントローラー６によってウインチ４を作動してバイブレーションシャフト３を上昇せしめて格納ボックス12に格納することによって、前記バイブレーションシャフト３をコンクリートＣから抜き取った後、
本体部１の底部に略水平に懸着された仕上げ板５をコンクリートＣの表面に振接させることによって表面を平坦ならしめるという技術的手段を採用することによって、吊下式コンクリート締固め機を用いたコンクリート締固め方法を完成させた。
【００１２】
【発明の実施の形態】
本発明の実施形態を具体的に図示した図面に基いて更に詳細に説明すると次のとおりである。
【００１３】
本実施形態のコンクリート締固め機は、打設直後のコンクリートＣの上空からクレーンなどで吊下して、当該打設コンクリートの締固めおよび表面を平坦ならしめることができるように構成したものである。
【００１４】
（ｉ）コンクリート締固め機について
まず、図１および図２を参照しながら、本実施形態における吊下式コンクリート締固め機について説明する。
【００１５】
図中、符号１で指示するものは本体部であり、この本体部１の上部にはクレーンフックなどに吊支される掛止部材11が配設されている。また、符号２で指示するものは振動モーターであり、この振動モーター２は前記本体部１に搭載されており、電気式や空気式のモーターを採用することができる。
【００１６】
また、符号３で指示するものはバイブレーションシャフトであり、このバイブレーションシャフト３は前記本体部１の底面から突出して未硬化の打設コンクリートＣに刺入可能である一方、上昇して同本体部１の格納ポケット12に格納可能で、昇降自在に構成されている。符号４で指示するものはウインチであり、このウインチ４は前記本体部１に搭載され、前記バイブレーションシャフト３を電動昇降することができる。
【００１７】
符号５で指示するものは仕上げ板であり、この仕上げ板５は前記本体部１の底部に略水平に懸着されており、本実施形態では木製平板を採用する。また、符号６で指示するものはリモートコントローラーであり、このリモートコントローラー６によって前記ウインチ４の動止を遠隔操作することができる。本実施形態では、配線を有する有線式のものを採用する。しかして、図２のようにクレーンから吊下して使用することができる。
【００１８】
更にまた、必要に応じて、本体部１と仕上げ板５との間に弾性緩衝部材51を介装して、振動モーター２による振動を緩衝できるように構成することができ、本実施形態では、弾性ゴム部材（廃タイヤ）を使用した。
【００１９】
更にまた、振動モーター２の振動強弱を調節可能にすることもでき、仕上げ板５を使用する場合には振動を弱めたりして、脱気段階に応じて使い分けることができる。
【００２０】
（ii）コンクリート締固め方法について
次に、図３から図６を参照しながら、本実施形態で前述した吊下式コンクリート締固め機を用いたコンクリート締固め方法について説明する。
【００２１】
まず、打設直後のコンクリートＣの上空からクレーンなどで本体部１を吊下して、振動モーター２を作動する（図３参照）。
【００２２】
次に、前記本体部１の底面から突出したバイブレーションシャフト３をコンクリートＣに刺入せしめて内部気泡を脱気する（図４参照）。そして、リモートコントローラー６によってウインチ４を作動することによってバイブレーションシャフト３を上昇せしめて格納ボックス12に格納する（図５参照）。
【００２３】
然る後、前記バイブレーションシャフト３をコンクリートＣから抜き取って、本体部１の底部に略水平に懸着された仕上げ板５をコンクリートＣの表面に振接させることによって表面を平坦ならしめることができる（図６参照）。このようにして、バイブレーションシャフト３の刺入痕を埋めることができる。
【００２４】
また、本実施形態においては、リモートコントローラー６を用いてウインチ４の動止を遠隔操作することができるのであるが、この際、リモートコントローラー６は有線式のものを採用した。
【００２５】
このように、打設した未硬化のコンクリートは、本実施形態品を使用することにより、作業員が実際に施工現場に入ることなく、クレーンによって締固め機を吊下して遠隔操作でコンクリートの締固め作業を行うことができるので、落石や土砂崩れ時の避難時間の確保が困難な場所であっても、無人で安全に施工することができる。
【００２６】
本発明は概ね上記のように構成されるが、本発明は図示の実施形態に限定されるものでは決してなく、「特許請求の範囲」の記載内において種々の変更が可能であって、例えば、リモートコントローラー６はウインチ４だけでなく、振動モーター２を操作できるように構成しても良い。この際、電源操作や強弱を調節するものであっても良い。また、無線式のものであっても良く、何れのものも本発明の技術的範囲に属する。
【００２７】
【発明の効果】
以上、実施形態をもって説明したとおり、本発明においては、本体部の上部に配設した掛止部材によってクレーンなどで吊下することができ、打設直後の未硬化のコンクリートの上空から底面に設置したバイブレーションシャフトで締固めおよび表面を平坦ならしめることができるので、遠隔操作によって安全かつ迅速に無人作業することができることから、産業上における利用価値は頗る高い。
【図面の簡単な説明】
【図１】本発明の実施形態のコンクリート締固め機を表わす全体正面図である。
【図２】本発明の実施形態のコンクリート締固め機の使用状況を表わす全体斜視図である。
【図３】本発明の実施形態のコンクリート締固め方法を表わす工程図である。
【図４】本発明の実施形態のコンクリート締固め方法を表わす工程図である。
【図５】本発明の実施形態のコンクリート締固め方法を表わす工程図である。
【図６】本発明の実施形態のコンクリート締固め方法を表わす工程図である。
【符号の説明】
１    本体部
11  掛止部材
12  格納ポケット
２    振動モーター
３    バイブレーションシャフト
４    ウインチ
５    仕上げ板
51  弾性緩衝部材
６    リモートコントローラー
Ｃ    コンクリート
【図１】
0003721161.tif 000002
【図２】
0003721161.tif 000003
【図３】
0003721161.tif 000004
【図４】
0003721161.tif 000005
【図５】
0003721161.tif 000006
【図６】
0003721161.tif 000007